(57)【要約】      （修正有）【課題】大津波等の襲来に対して、海岸近辺の人々が迅速に避難することができ、津波の襲来に対して安全であり、平時には展望デッキ等として利用することができる津波用避難施設を提供する。【解決手段】地上Ｇに設置した掘込み基礎部２にフロート３の架台部3aを、着脱自在に設け、架台部3aに固定した支柱3bに避難室3cを固定させる。フロート３は上部側の浮力が下部側よりも大きい構造とし浮遊時の姿勢を安定させる。フロート３と掘込み基礎部２とを適宜な長さの連結索で連結する。フロート３の下側には滑動防止材を敷設して、架台部3aが基礎部に対して、地震の横揺れによってずれないようにする。津波襲来で海面が上昇すると、フロート３が掘込み基礎部２から離脱して上昇し、海面に浮遊する。前記連結索によって拘束されているから、フロート３は漂流しない。【選択図】図１
2015054565.tif 000002
【特許請求の範囲】
【請求項１】
津波が襲来した際に海岸近辺の人々が避難するための津波用避難施設において、
地上に設置した基礎部と、
前記基礎部に着脱自在に設置したフロートと、
前記基礎部とフロートとを連結する連結索とからなり、
前記フロートに海面が到達した場合には、該フロートが浮力を受けて前記基礎部から離脱して海面に浮遊することを特徴とする津波用避難施設。
【請求項２】
前記フロートは、上部側を下部側よりも大きい浮力を受ける構造としてあることを特徴とする請求項１に記載の津波用避難施設。
【発明の詳細な説明】
【技術分野】
【０００１】
この発明は、大津波等が発生した際に、海岸付近で遭遇した人々が避難して大津波等により被災することを回避するための津波用避難施設に関する。
【背景技術】
【０００２】
海底で巨大地震が発生した場合に沿岸部には大津波が発生するおそれがあり、大津波の襲来に対しては、一刻も早く高台等に避難することを要する。しかし、海岸付近に居る人々が安全な高台等に避難するのには時間を要する。また、津波の大きさによっては海岸付近の数階建ての建築物でさえも破壊してしまうおそれがあるため、該建築物に避難することは危険を伴うことにもなる。
【０００３】
そのため、津波に対して避難できる避難施設を海岸付近に設置することが提案されている。例えば、特許文献１には、津波の発生時に海岸近くの住民が迅速に避難することが可能であるとともに、高い津波が発生した時にも充分な安全性を確保することができ、高齢者や子供等であっても容易に迅速な避難が可能であり、しかも設備コストやメンテナンス費用を低く抑えることができて経済的とされたフロート式津波避難所が提案されている。
【０００４】
また、特許文献２には、津波や洪水等の水害発生時に避難するためのフロート式の緊急避難所と、その建造方法が提案されている。さらに、特許文献３には、平時に於いては集会所及び備蓄倉庫等に供しながら、津波到来の緊急時には当該施設に逃げ込んで難を逃れ、雨露を凌ぎながら数日間の籠城をも可能となる津波避難施設が提案されている。
【先行技術文献】
【特許文献】
【０００５】
【特許文献１】特開２００６−１１２０８９号公報
【特許文献２】特開２０１２−２５１３７０号公報
【特許文献３】特開２０１２−１８８９２４号公報
【発明の概要】
【発明が解決しようとする課題】
【０００６】
特許文献１に記載されたフロート式津波避難所は、地中に打ち込まれた支柱と、該支柱の地上部分に設けられた避難台とからなる津波避難所であって、前記避難台は、該避難台を海面上に浮遊させることが可能なフロートを備えてなるとともに、該フロートの浮力により前記支柱に沿って上昇可能とされてなるフロート式津波避難所とされている。
【０００７】
また、引用文献２に記載された緊急避難所は、地面に打ち込まれて地上に起立する一本の支柱と、中央部の開口に支柱が挿入されて、支柱に沿って浮力により昇降自在なフロートと、フロート上に配置され、内部に居住空間を有し、中央部の開口に支柱が挿入されて、フロートの浮力により支柱に沿って昇降自在な構造物とからなる構成とされている。
【０００８】
また、引用文献３に記載された発明は、地面を掘削して形成したピット内に椀型のフロートを収容させ、該フロートの中央部に地面に起立させた支柱を貫通させた構成を備えている。そして、津波襲来時に、前記フロート内に避難すると、津波による海水の襲来によりフロートが前記支柱にそって上昇するようにされている。
【０００９】
前述した特許文献１〜３に開示された避難施設は、支柱によって拘束されている構造物であり、例えば、支柱を越えた高さまでの大津波が襲来した場合には、いずれの避難所も水面下に没してしまうことになる。このため、避難した人々は避難所内で海水に襲われてしまい、被災してしまうおそれがある。
【００１０】
そこで、支柱の高さを予想可能な津波の高さ以上のものとすることが考えられるが、その場合には支柱の建設費が増大してしまうことになる。また、これら特許文献１〜３に開示された避難施設は、通常時は地上や海面に設置されており、特に特許文献２、３に開示された避難施設では、通常時には設置場所を確保することを要するのみで機能的に活用されないおそれがある。
【００１１】
この発明は、これらの問題に鑑みて、大津波の発生により海面が異常に上昇するおそれがある場合に、海岸近辺の人々の避難場所を確保すると共に、海面の上昇によっても被災することがなく、迅速な避難を行えて、安全性の高い津波用避難施設を提供することを目的としている。
【課題を解決するための手段】
【００１２】
前記目的を達成するための技術的手段として、この発明に係る津波用避難施設は、津波が襲来した際に海岸近辺の人々が避難するための津波用避難施設において、地上に設置した基礎部と、前記基礎部に着脱自在に設置したフロートと、前記基礎部とフロートとを連結する連結索とからなり、前記フロートに海面が到達した場合には、該フロートが浮力を受けて前記基礎部から離脱して海面に浮遊することを特徴としている。
【００１３】
津波が襲来した場合には、前記フロート内に避難する。海面が上昇する場合には、該フロートも浮力を受けて上昇し、海面に浮遊する。浮遊したフロートは前記連結索によって前記基礎部と連結されているから、海水の流動によっても漂流することがない。
【００１４】
また、請求項２の発明に係る津波用避難施設は、前記フロートは、上部側を下部側よりも大きい浮力を受ける構造としてあることを特徴としている。
【００１５】
例えば、前記フロートを上下の２室で構成し、下部室に食料や飲料水、救命胴衣、医薬品等を収容すると共に、適宜な手段により重量を大きくする。なお、避難者はこの下部室を通って上部室に進入することができるようにする。上部室は広い空間による中空とし大きな浮力を受けるようにする。上部の方が大きな浮力を受けるため、フロートは海面を安定した姿勢で浮遊する。
【発明の効果】
【００１６】
この発明に係る津波用避難施設によれば、津波によって海面が上昇した場合に、海面の上昇に伴われてフロートも上昇し、前記基礎部から離脱する。離脱したフロートは津波が消滅するまで海面に浮遊するから、フロートに避難した人々の安全が確保される。
【００１７】
また、前記基礎部とフロートとは前記連結索で連結されているから、フロートが海面を漂流することがない。
【００１８】
また、請求項２の発明に係る津波用避難施設によれば、浮遊しているフロートの姿勢を安定させるから、避難した人々がフロート内で安心していられる。
【図面の簡単な説明】
【００１９】
【図１】この発明に係る津波用避難施設の平時の状態を示す概略の平面図である。
【図２】この発明に係る津波用避難施設に津波が襲来して上昇した海面に浮遊した状態を示す図である。
【発明を実施するための形態】
【００２０】
以下、図示した好ましい実施の形態に基づいて、この発明に係る津波用避難施設を具体的に説明する。
【００２１】
図１には、この発明に係る津波用避難施設１の斜視図を示してある。地上Ｇには掘込み基礎部２が埋設されて設置されており、この掘込み基礎部２にフロート３が着脱自在に保持させて設置されている。この掘込み基礎部２は、コンクリートによって形成されて設置されている基礎部４の周囲に、コンクリートや鋼材等によって環状に形成されており、フロート３の下部にはこの環状に遊挿される環状の架台部3aが具備されている。このため、これら掘込み基礎部２と架台部3aとは地震が発生した際には架台部3aが掘込み基礎部２に対してずれてしまったり、脱落してしまったりすることがないようにしてある。また、後述するように、津波の襲来により海面が上昇したことによってフロート３が海面と共に上昇する場合には、掘込み基礎部２から離脱できるようにしてある。
【００２２】
前記フロート３は、前記架台部3aと該架台部3aに下端部が固定された複数本の支柱3b、該支柱3bの先端部に固定されて支持されている避難室3cとから構成されている。避難室3cは上部がほぼ球形で下部が逆円錐形に形成されており、内部が中空で、上部室と下部室に分割されていることが好ましく、下部室には避難時に必要となる食料や飲料水、救命胴衣、医薬品等が保管され、上部室が避難室とされることが好ましい。また、フロート３は、上部室の容積の方が下部室の容積よりも大きく、必要に応じてバランスウェイト等を配置することによって、上部が下部よりも大きな浮力を受ける構造とされている。なお、前記支柱3bには、適宜な位置に斜材3fが掛け渡されて連結されており、支柱3b間が補強されている。
【００２３】
また、避難室3cの屋上は展望デッキ3dとされており、上部室から展望デッキ3dに出入りできるようにしてある。展望デッキ3dの周囲には安全柵3eが設置されている。
【００２４】
前記架台部3aの下部には、摩擦増大マット等の滑動防止材６が環状に配されており、架台部3aが掘込み基礎部２に対して不用意に移動しないようにしてある。また、図２に示すように、フロート３の避難室3cの下部と掘込み基礎部２との間を連結索５によって連結させてある。この連結索５は、大津波の発生によって予想以上に海面が上昇した場合であってもフロート３が海面に浮遊している状態の障害とならない長さとしてある。
【００２５】
以上により構成されたこの発明に係る津波用避難施設１の作用を、以下に説明する。
【００２６】
平時にはフロート３は掘込み基礎部２に架台部3aが遊挿された状態で設置されており、例えば、該フロート３の内部に入ることができ、さらに展望デッキ3dに登ることができるようにして、海岸からの景観を望んだり、あるいは、海洋の観察に供したりできるようにする。また、地震によって横揺れがフロート３に伝達された場合でも、前記滑動防止材６に接触させてあるため、不用意に移動することが防止される。
【００２７】
大津波等が発生した場合には、人々は前記フロート３に避難する。フロート３には図示しない扉体が設けられており、この扉体を開放して避難室3cに入る。また、避難が完了して扉体を閉成した場合には、この扉体によって入口が閉塞されて、避難室3aに浸水することがない。大津波が襲来して海面が上昇すると、フロート３は浮力を受けて海面と共に上昇する。このとき、該フロート３は掘込み基礎部２から離脱することになる。また、フロート３は前記連結索５によって掘込み基礎部２と連結されているから、該掘込み基礎部２から連結索５の長さ以上の距離まで離隔することができず、したがって、海面を漂流することがない。なお、連結索５は海面の上昇に応じてもフロート３が海面を十分に浮遊することができる長さとされている。また、フロート３は上部の方が大きい浮力を受けることができるようにしてあるから、前記上部室が上側に位置して安定して浮遊することができる。
【００２８】
前述したように、フロート３は人々が避難するのに適した形状とされて、大津波の襲来等により海面が上昇した場合には該海面の上昇に伴われて、容易に、かつ、姿勢が安定した状態で、浮上できる形状とされる。また、海面に浮上している際にも姿勢の安定性が確保され、さらに他の漂流物が衝突した場合であっても、波の流れによって該漂流物を迅速に排除できる形状とされることが好ましい。
【００２９】
津波が消滅して海面が下降するとフロート３も下降し、地上Ｇに到達するから、避難室3cに避難した人々は前記扉体を開放して避難室3cから出ることになり、津波による災害から免れることができる。
【産業上の利用可能性】
【００３０】
この発明に係る津波用避難施設によれば、大津波の襲来によって海面が異常に上昇した場合であっても、フロートが海面に浮遊することによって津波を回避できるので、津波の規模に拘わらず、人々の安全な避難に寄与する。
【符号の説明】
【００３１】
Ｇ  地上
１  津波用避難施設
２  基礎部
３  フロート
3a  架台部
3b  支柱
3c  避難室
3d  展望デッキ
3e  安全柵
４  基礎部
５  連結索
６  滑動防止材
【図１】
2015054565.tif 000003
【図２】
2015054565.tif 000004